(57)【要約】【課題】盗難対策装置の秘匿性を高め、不正アクセスし難くする。【解決手段】燃料タンク１０は、メインフレーム２を跨ぐように、メインフレーム２の両側で垂れ下がる形状を有する。そして、燃料タンク１０の左右の垂れ下がりの間の底面のうち平坦部１０ａの下方で、且つメインフレーム２の上方に、盗難対策装置（例えばＧＰＳ機器）２２が配置される。盗難対策装置２２は車両平面視において燃料タンク１０の左右端よりも内側に収まり、また、車両側面視において盗難対策装置２２が燃料タンク１０と重なる。したがって、車体カバーを装備しない場合でも、車両平面視及び車両側面視において盗難対策装置２２が露出せず、盗難対策装置２２の秘匿性を高め、不正アクセスし難くすることができる。【選択図】図２
2014058185.tif 000002
【特許請求の範囲】
【請求項１】
車体の骨格を形成する車体フレームと、
前記車体フレームに支持されるエンジンと、
前記車体フレームに支持され、前記エンジンの上方に配置される燃料タンクと、
盗難対策装置とを備え、
前記盗難対策装置は、前記燃料タンクの底面に、又は少なくとも一部の底面の下方に、車両平面視において前記燃料タンクの前後端よりも内側に収まるように配置されることを特徴とする自動二輪車。
【請求項２】
前記盗難対策装置は、車両平面視において前記燃料タンクの左右端よりも内側に収まるように配置されることを特徴とする請求項１に記載の自動二輪車。
【請求項３】
前記盗難対策装置は、車両側面視において少なくとも一部が前記燃料タンクと重なるように配置されることを特徴とする請求項１又は２に記載の自動二輪車。
【請求項４】
前記車体フレームは、ヘッドパイプと、前記ヘッドパイプから車体後方に向かって延設されるメインフレームとを備え、
前記燃料タンクは、左右両端部が垂れ下がる形状を有し、
前記盗難対策装置は、前記燃料タンクの左右の垂れ下がりの間の底面の下方で、且つメインフレームの上方に配置されることを特徴とする請求項３に記載の自動二輪車。
【請求項５】
前記車体フレームは、ヘッドパイプと、前記ヘッドパイプから車体後方に向かって延設される左右のメインフレームとを備え、
前記盗難対策装置は、前記左右のメインフレームの内側で、車両側面視において少なくとも一部が前記メインフレームに重なるように配置されることを特徴とする請求項１又は２に記載の自動二輪車。
【請求項６】
前記盗難対策装置は、前記燃料タンクの給油口よりも後方に配置されることを特徴とする請求項１乃至５のいずれか１項に記載の自動二輪車。
【発明の詳細な説明】
【技術分野】
【０００１】
本発明は、ＧＰＳ（Global Positioning System）機器等の盗難対策装置を備えた自動二輪車に関する。
【背景技術】
【０００２】
盗難された車両を探し出すために、ＧＰＳ機能を利用して車両位置を検出し、この位置情報を携帯電話等に送信することが可能な盗難対策装置が開発されている。例えば特許文献１には、ヘッドパイプの後方で、燃料タンクの給油口の前方に、且つ、燃料タンクの上面に、その一部を凹ませた凹部を形成し、この凹部内に盗難対策装置を取り付け、盗難対策装置および凹部の上方をタンクカバーで覆う構成が開示されている。
【先行技術文献】
【特許文献】
【０００３】
【特許文献１】特開２０１１−３１７１７号公報
【発明の概要】
【発明が解決しようとする課題】
【０００４】
しかしながら、特許文献１に開示されている構成では、燃料タンクの上面側でタンクカバーで覆われていることにより逆に盗難対策装置の所在がわかりやすくなり、盗難対策装置が容易に発見されてしまうおそれがある。そのため、盗難対策装置に不正アクセスしやすく、その除去や破壊等につながるおそれがある。
また、タンクカバーを別途設ける必要があり、部品点数が増えてしまう。
【０００５】
本発明は上記のような点に鑑みてなされたものであり、盗難対策装置の秘匿性を高め、不正アクセスし難くすることを目的とする。
【課題を解決するための手段】
【０００６】
本発明の自動二輪車は、車体の骨格を形成する車体フレームと、前記車体フレームに支持されるエンジンと、前記車体フレームに支持され、前記エンジンの上方に配置される燃料タンクと、盗難対策装置とを備え、前記盗難対策装置は、前記燃料タンクの底面に、又は少なくとも一部の底面の下方に、車両平面視において前記燃料タンクの前後端よりも内側に収まるように配置されることを特徴とする。
また、本発明の自動二輪車の他の特徴とするところは、前記盗難対策装置は、車両平面視において前記燃料タンクの左右端よりも内側に収まるように配置される点にある。
また、本発明の自動二輪車の他の特徴とするところは、前記盗難対策装置は、車両側面視において少なくとも一部が前記燃料タンクと重なるように配置される点にある。例えば、前記車体フレームは、ヘッドパイプと、前記ヘッドパイプから車体後方に向かって延設されるメインフレームとを備え、前記燃料タンクは、左右両端部が垂れ下がる形状を有し、前記盗難対策装置は、前記燃料タンクの左右の垂れ下がりの間の底面の下方で、且つメインフレームの上方に配置される。
また、本発明の自動二輪車の他の特徴とするところは、前記車体フレームは、ヘッドパイプと、前記ヘッドパイプから車体後方に向かって延設される左右のメインフレームとを備え、前記盗難対策装置は、前記左右のメインフレームの内側で、車両側面視において少なくとも一部が前記メインフレームに重なるように配置される点にある。
また、本発明の自動二輪車の他の特徴とするところは、前記盗難対策装置は、前記燃料タンクの給油口よりも後方に配置される点にある。
【発明の効果】
【０００７】
本発明によれば、盗難対策装置が、燃料タンクの底面に、又は少なくとも一部の底面の下方に、車両平面視において前記燃料タンクの前後端よりも内側に収まるように配置されるので、盗難対策装置の秘匿性を高め、不正アクセスし難くすることができる。これにより、盗難対策装置の除去や破壊等を防ぐことができる。
【図面の簡単な説明】
【０００８】
【図１】第１の実施形態に係る自動二輪車の一部を示す側面図である。
【図２】第１の実施形態における燃料タンクまわりの構成を示す断面図である。
【図３】第１の実施形態における燃料タンクまわりの構成を示す断面図である。
【図４】第２の実施形態に係る自動二輪車の車体フレームを示す斜視図である。
【図５】第２の実施形態における燃料タンクまわりの構成を示す断面図である。
【発明を実施するための形態】
【０００９】
以下、添付図面を参照して、本発明の好適な実施形態について説明する。
（第１の実施形態）
図１を参照して、第１の実施形態に係る自動二輪車の構成を説明する。本願における前後左右は、自動二輪車の乗員から見た方向をいうものとする。
自動二輪車は、鋼製或いはアルミニウム合金製でなる車体フレームにより車体の骨格を形成し、車体フレームに対する各種部品の艤装を経て構成される。
ヘッドパイプ１は、不図示のフロントフォークを左右に回動可能に支持する。図１では図示を省略するが、フロントフォークの上端にはハンドルバーが固定され、下部には前輪が回転可能に支持される。
【００１０】
ヘッドパイプ１の上部には、メインフレーム２が車体後方に向かってやや斜め下方に傾斜して延設される。メインフレーム２は、途中から下方向に湾曲して略鉛直下方向に延出し、左右のピボットプレート３に結合する。また、ヘッドパイプ１の下部には、ダウンフレーム４が車体後下方に向かって延設される。ダウンフレーム４は、エンジン懸架プレート５に結合する。エンジン懸架プレート５とピボットプレート３とは、左右のロアフレーム６を介して結合される。
【００１１】
メインフレーム２には、車体後方に向かって延出する左右のリヤフレーム７が配設される。また、左右のピボットプレート３には、それぞれ上斜め後方に延出するサイドフレーム８が配設される。左右のサイドフレーム８は、左右のリヤフレーム７とそれぞれ結合され、リヤフレーム７の剛性を向上させている。
【００１２】
リヤフレーム７には、運転者及び同乗者が着座するためのシート９が着脱可能に搭載される。シート９の前方には、メインフレーム２によって支持される樹脂製の燃料タンク１０が配設される。
【００１３】
ピボットプレート３には、後輪１１を回転可能に支持するスイングアーム１２が揺動可能に結合する。後輪１１は、エンジンユニット１３の動力を伝達するチェーンを介して回転駆動される。スイングアーム１２とリヤフレーム７との間には、ショックアブソーバ（後輪懸架装置）１４が介装され、後輪１１の振動を吸収する。
【００１４】
メインフレーム２とダウンフレーム４とによって囲まれる空間に、エンジンユニット１３が搭載される。エンジンユニット１３はエンジン懸架プレート５を介してダウンフレーム４に懸架される。エンジンユニット１３は、クランクケース１５及びクランクケース１５から前傾するように設けられたシリンダアセンブリ１６を備える。エアクリーナ１７から供給される空気と燃料タンク１０から供給される燃料とが燃料混合装置１８で混合されて、シリンダアセンブリ１６に供給される。シリンダアセンブリ１６内では、混合気を燃焼させることでクランクケース１５内のクランクシャフトを回転させて、動力を発生する。一方、混合気が燃焼されて生成された排気ガスは、シリンダアセンブリ１６に結合する排気管１９を通って排出される。
【００１５】
図２に示すように、メインフレーム２の前部下方には、イグニッションコイル２０が吊設される。また、左右のリヤフレーム７の間には、メインフレーム２に近い位置でＣＤＩ（Capacitor Discharge Ignition）２１が架設される。
【００１６】
ここで、図２、図３に示すように、燃料タンク１０は、左右両端部が垂れ下がる形状を有し、本実施形態では、メインフレーム２を跨ぐように、メインフレーム２の両側で垂れ下がる。燃料タンク１０の左右の垂れ下がりの間の底面は、図２に示すように、前半部がメインフレーム２に沿うように後下がりに傾斜し、後半部がいったん平坦になった後（平坦部１０ａ）、再度後下がりに傾斜する形状となっている。
【００１７】
そして、燃料タンク１０の左右の垂れ下がりの間の底面のうち平坦部１０ａの下方で、且つメインフレーム２の上方に、盗難対策装置２２が配置される。本実施形態において、盗難対策装置２２は、人口衛星を利用して自機の位置を測定可能で、且つ測定された位置情報を無線送信可能なＧＰＳ機器である。盗難対策装置２２は、燃料タンク１０の底面に設けられた支持部２３により吊り下げられるようにして固定される。
【００１８】
このように燃料タンク１０の左右の垂れ下がりの間に盗難対策装置２２が配置されることにより、盗難対策装置２２が車両平面視において燃料タンク１０の左右端よりも内側に収まり、また、車両側面視において盗難対策装置２２が燃料タンク１０と重なる。したがって、車体カバーを装備しない場合でも、車両平面視及び車両側面視において盗難対策装置２２が露出せず、盗難対策装置２２の秘匿性を高め、不正アクセスし難くすることができる。
【００１９】
また、盗難対策装置２２は、車両平面視において燃料タンク１０の前後端よりも内側に収まるように配置される。このように盗難対策装置２２を燃料タンク１０の前後に露出させないことにより、燃料タンク１０の前後に位置する着脱可能部材、例えばシート９を取り外したときにも、盗難対策装置２２が容易に発見されないようにすることができる。
【００２０】
また、盗難対策装置２２は、燃料タンク１０の給油口１０ｂよりも後方に配置される。給油口１０ｂ付近では、燃料タンク１０に深さが必要となり、燃料タンク１０の底面がメインフレーム２に近接する。盗難対策装置２２の配置箇所を、このような燃料タンク１０の前半部を避け、燃料タンク１０の底面の形状自由度があり、平坦部１０ａを設け易い後半部（給油口１０ｂよりも後方）とすることで、盗難対策装置２２の配置自由度が大きくなる。これにより、車体平面視における投影面積を広くするように搭載でき、送盗難対策装置２２の受信感度を向上させることができる。
【００２１】
なお、盗難対策装置２２としてＧＰＳ機器を説明したが、ＧＰＳ機器が本体部と受信部とに別体で構成される場合、その両方を本発明でいう盗難対策装置として燃料タンクの底面の下方に配置するようにしてもよいし、本体部又は受信部の一方のみを本発明でいう盗難対策装置として燃料タンク１０の底面の下方に配置するようにしてもよい。
【００２２】
以上述べたように、盗難対策装置２２が、燃料タンク１０やメインフレーム２といった、短時間で除去、破壊することができない、或いは除去、破壊することで車両の機能を喪失する部品に囲まれるように配置される。したがって、盗難対策装置２２の秘匿性を高め、不正アクセスし難くすることができる。これにより、盗難対策装置２２の除去や破壊等を防ぐことができる。
また、盗難対策装置２２の周囲には、エンジンユニット１３及びその周辺に位置する補機類（エアクリーナ１７、燃料混合装置１８等）といった、短時間で除去、破壊することができない、或いは除去、破壊することで車両の機能を喪失する部品が存在する。したがって、盗難対策装置２２の秘匿性を高め、不正アクセスし難くすることができる。本実施形態のようにエンジンユニット１３のシリンダアセンブリ１６の後方に盗難対策装置２２が配置される場合には、前方からの不正アクセスを防ぐことができる。
【００２３】
また、タンクカバー等の別部材を設ける必要がなく、部品点数を削減することができる。
また、燃料タンクの上面に盗難対策装置を配置し、その上方にカバーをつける構造では、カバーの隙間から雨水や塵が入り、盗難対策装置の配置スペースに溜まり易くなる。それに対して、本実施形態のように、燃料タンク１０の下方に盗難対策装置２２を配置する場合は、盗難対策装置２２の上方を広く燃料タンク１０が覆って雨水や塵が入りにくくなる。
【００２４】
なお、本実施形態では、盗難対策装置２２が燃料タンク１０の底面で支持される例を説明したが、車体側（例えばメインフレーム２）で支持されるようにしてもよい。
また、盗難対策装置２２を燃料タンク１０の底面の下方に配置する例を説明したが、例えば底面に凹部を形成し、この凹部内に盗難対策装置２２を収容するような形態でもかまわない。
【００２５】
（第２の実施形態）
第１の実施形態では、ヘッドパイプから車体後方に向かって１本のメインフレームが延設される構成の車体フレームを例にした。それに対して、第２の実施形態では、ヘッドパイプから車体後方に向かって左右のメインフレームが延設される構成の車体フレームを例とする。
【００２６】
図４に示すように、ヘッドパイプ２５には、左右のメインフレーム２６Ｌ、２６Ｒが車体後方に向かってやや斜め下方に傾斜して延設される。そして、これらメインフレーム２６Ｌ、２６Ｒによって樹脂製の燃料タンク２７が支持される。燃料タンク２７の前下部にはエアクリーナ２８が配設される。
【００２７】
本実施形態でも、盗難対策装置２２が、燃料タンク２７の後半部（給油口２７ｂよりも後方）の底面の下方に配置される。この場合に、盗難対策装置２２は、左右のメインフレーム２６Ｌ、２６Ｒの内側で、車両側面視において少なくとも一部がメインフレーム２６Ｌ、２６Ｒに重なるように配置される。本実施形態では、盗難対策装置２２は、右側のメインフレーム２６Ｒの内側に沿うようにして配置され、車両側面視において全体がメインフレーム２６Ｌ、２６Ｒに重なるように配置される。このように燃料タンク２７と左右のメインフレーム２６Ｌ、２６Ｒとにより囲まれた空間に盗難対策装置２２が配置されることにより、盗難対策装置２２の秘匿性を高め、不正アクセスし難くすることができる。
【００２８】
以上、本発明を種々の実施形態と共に説明したが、本発明はこれらの実施形態にのみ限定されるものではなく、本発明の範囲内で変更等が可能である。例えば上記実施形態では、盗難対策装置としてＧＰＳ機器を例に挙げたが、それに限られるものではない。例えば不正な操作を行おうとすると、エンジン始動を許可しないイモビライザや、異常時に警報を発するアラーム等であってもよい。
また、上記実施形態では、燃料タンクがシートの前方に配置される構造を示したが、シートの下方や後方に配置される構造の場合にも本発明は適用可能である。
【符号の説明】
【００２９】
１：ヘッドパイプ、２：メインフレーム、１０燃料タンク、１０ａ：平坦部、１０ｂ：給油口、１３：エンジンユニット、２２：盗難対策装置、２５：ヘッドパイプ、２６Ｌ、２６Ｒ：メインフレーム、２７：燃料タンク、２７ｂ：給油口
【図１】
2014058185.tif 000003
【図２】
2014058185.tif 000004
【図３】
2014058185.tif 000005
【図４】
2014058185.tif 000006
【図５】
2014058185.tif 000007